(57)【要約】【課題】記録メディアを有効に活用できるとともに、シャッターチャンスの撮影画像を確実に記録できる撮像装置を提供する。【解決手段】連続して撮影した複数枚の画像を記録メディアに記録するに撮像装置は、バッファメモリから読み出された記録対象画像を複数のブロックに分割するブロック化回路３０１と、フレームメモリ３０２と、記録対象画像の記録されないブロックをフレームメモリ３０２の出力で置換して、その結果をフレームメモリ３０２に記憶するブロック置換回路３０４と、ブロック化回路３０１の出力とフレームメモリ３０２の出力の差分値をブロック毎に検出する差分検出回路３０３と、差分値と予め設定された所定の閾値とを比較する比較回路３０５とを有し、比較回路３０５の比較結果に基づいて記録メディアに記録するブロックを選択する。【選択図】図６
2008153828.tif 000002
【特許請求の範囲】
【請求項１】
連続して撮影した複数枚の画像を記録メディアに記録する撮像装置であって、
前記複数枚の画像を一時的に記憶するバッファメモリと、
前記バッファメモリに記憶された前記複数枚の画像の中の１枚を基準画像として選択し、前記基準画像を先頭に、前記基準画像より後に撮影された画像は撮影された順番に読み出し、前記基準画像より前に撮影された画像は撮影された順番とは逆に読み出す画像読み出し手段と、
前記読み出し手段によって読み出された記録対象画像を複数のブロックに分割するブロック分割手段と、
前記記録メディアに記録するブロックを選択する記録ブロック選択手段と、
画像を記憶するフレームメモリと、
前記記録対象画像の記録されないブロックを前記フレームメモリの出力で置換して、その結果を前記フレームメモリに記憶するブロック置換手段と、
前記ブロック分割手段の出力と前記フレームメモリの出力の差分値を前記ブロック毎に検出する差分検出手段と、
前記差分値と予め設定された所定の閾値とを比較する比較手段とを有し、
前記記録ブロック選択手段が前記比較手段の比較結果に基づいて記録するブロックを選択することを特徴とする撮像装置。
【請求項２】
連続して撮影した複数枚の画像を記録メディアに記録する撮像装置であって、
前記複数枚の画像を一時的に記憶するバッファメモリと、
前記バッファメモリに記憶された前記複数枚の画像の中の１枚を基準画像として選択し、前記基準画像を先頭に、前記基準画像より後に撮影された画像は撮影された順番に読み出し、前記基準画像より前に撮影された画像は撮影された順番とは逆に読み出す画像読み出し手段と、
前記読み出し手段によって読み出された記録対象画像を複数のブロックに分割するブロック分割手段と、
前記記録メディアに記録するブロックを選択する記録ブロック選択手段と、
前記ブロック分割手段の出力を記憶するフレームメモリと、
前記ブロック分割手段の出力と前記フレームメモリの出力の差分値を前記ブロック毎に検出する差分検出手段と、
前記差分値と予め設定された所定の閾値とを比較する比較手段とを有し、
前記記録ブロック選択手段が前記比較手段の比較結果に基づいて記録するブロックを選択することを特徴とする撮像装置。
【請求項３】
第１の撮影操作で所定の時間間隔での撮影を開始し、第２の撮影操作で所定の時間間隔で所定の枚数を撮影して撮影を終了する第１および第２の撮影操作手段をさらに備え、
前記基準画像は、前記第２の撮影操作後に最初に撮影された画像であることを特徴とする請求項１または２記載の撮像装置。
【請求項４】
前記閾値を画像の中の少なくとも１つのブロックとそれ以外のブロックで変えることを特徴とする請求項１〜３のいずれか１項記載の撮像装置。
【請求項５】
前記閾値を画像の周辺部に位置するブロックよりも中央部に位置するブロックで小さくすることを特徴とする請求項４記載の撮像装置。
【請求項６】
前記閾値を画像の指定した位置のブロックとそれ以外のブロックで変えることを特徴とする請求項４記載の撮像装置。
【請求項７】
前記ブロックの大きさを画像のブロックの位置によって変えることを特徴とする請求項１〜３のいずれか１項記載の撮像装置。
【請求項８】
前記ブロックの大きさを画像の周辺部に位置するブロックよりも中央部に位置するブロックで小さくすることを特徴とする請求項７記載の撮像装置。
【請求項９】
前記ブロックの大きさを画像の指定した位置のブロックとそれ以外のブロックで変えることを特徴とする請求項７記載の撮像装置。
【請求項１０】
移動体を検出する移動体検出手段をさらに設け、前記移動体検出手段の検出結果に基づいて前記ブロックの大きさを変えることを特徴とする請求項１〜３のいずれか１項記載の撮像装置。
【請求項１１】
前記記録メディアの残量を監視する手段をさらに設け、前記残量に基づいて前記閾値を変えることを特徴とする請求項１〜３のいずれか１項記載の撮像装置。
【発明の詳細な説明】
【技術分野】
【０００１】
本発明は、デジタルカメラ等の撮像装置に関し、特に、複数枚の写真を所定の時間間隔で連続して撮影可能な撮像装置に関する。
【背景技術】
【０００２】
近年のデジタルカメラ関連技術の分野における進歩は著しく、今やデジタルカメラは、従来のフィルム式カメラに取って代わるまでになっている。
【０００３】
デジタルカメラでは、従来のフィルム式カメラが、撮影した画像を現像するまで確認できないのに対して、撮った画像をその場で確認できるため素人でも失敗が少ない。また、フィルムは１回使えば二度と使用できないが、デジタルカメラは撮影画像を半導体メモリに記録しており、記録した画像を消去すれば何度でも使えるのでコスト的にも有利である。さらに、撮影された画像はデジタル信号であるために画像の圧縮技術を使えば記録データ量を削減することができ、記録メディアの更なる効率的な使用が可能となる。
【０００４】
一般の人がデジタルカメラを使用するケースでもっとも多いのは、日常生活における旅行写真、種々の行事の記念写真等のスナップ写真であり、いずれも人物写真が多い。これら人物写真の撮影において、とりわけ大切な点は、シャッターチャンス、つまり、シャッターを切るタイミングである。シャッターチャンスが悪いと、被写体の人物が目を閉じたり、横を向いた写真が撮れてしまい、せっかくの記念写真が台無しになることもよく経験することである。このシャッターチャンスに関しては、撮影者の技能によるところ大であり、一瞬のタイミングを逃すことで写真の出来に多大な影響を与える。
【０００５】
この問題を解消するために、連写機能のついたデジタルカメラがあり、この連写機能を使えば人物撮影時等には複数枚を連続して撮影することが可能であり、できあがった写真の中からもっとも上手に撮れた写真を選択することができる。しかしながら、連写機能を用いると、最終的に欲しい写真は１枚であるにもかかわらず、１回の撮影で何枚もの写真を撮るために記録メディアの容量を浪費してしまい、撮影できる枚数が大幅に減ってしまう。また、前述したように、撮影画像は圧縮して記録データ量を削減できるが、従来のデジタルカメラで使用されている画像圧縮方式であるＪＰＥＧ（Ｊｏｉｎｔ  Ｐｈｏｔｏｇｒａｐｈｉｃ  Ｉｍａｇｅ  Ｃｏｄｉｎｇ  Ｅｘｐｅｒｔｓ  Ｇｒｏｕｐ）方式は、静止画を対象にした圧縮方式であるために上記連写機能で撮影された画像の圧縮には不向きである。これは、連写撮影された画像においては、連続して撮影された前後の画像間に強い相関があるにもかかわらず、上記ＪＰＥＧ方式は、この相関性を利用しないためである。人物写真等においては前後の撮影画像はほとんど変化しないために、非常に強い相関性があるのでＪＰＥＧ方式の圧縮は特に効率の悪いものとなる。
【０００６】
そこで、これを解決するために、連写した画像を一旦バッファメモリに格納し、バッファメモリから撮影画像を１枚ずつ読み出して、デジタルカメラに備えられたＬＣＤ表示部で確認し、うまくとれた写真だけを記録メディアへ記録する方法が提案されている（例えば、特許文献１参照）。
【０００７】
また、連写機能で撮影された画像の相関性を利用して、前後の画像間で差分を検出し、その差分値があるレベルよりも大きい場合のみ記録し、それ以外は、画像情報のみ記録して画像そのものは記録せずに記録メディアを有効に使う方法が提案されている（例えば、特許文献２参照）。
【特許文献１】特開平１０−７０６９６号公報
【特許文献２】特開２００５−２６０３２４号公報
【発明の開示】
【発明が解決しようとする課題】
【０００８】
しかしながら、特許文献１に開示された従来技術では、バッファメモリ上で選択して記録メディアへ記録する画像以外は、その時点で消去されるので、誤って必要な画像を消去してしまったり、消去した後でもう一度見たいと思っても取り返しがきかない。また、バッファメモリの容量は限られているために、画像を確認中に他の被写体を撮影したいと思っても不可能である。
【０００９】
また、特許文献２に開示された従来技術では、撮影画像１枚毎に前後の画像間の差分の大きさを検出して記録するか否かを判定している。このために、例えば、画面中の人物の表情だけが変化したような場合でも、変化した部分だけでなく、本来記録の必要のない周囲の変化のない部分まで含めて記録されてしまうため、効率的な記録データ量の削減ができない。一方、記録データ量を削減しようとして、差分の検出レベルを大きくすると、逆に本来記録すべき画像が記録されない。
【００１０】
このように、従来は連写撮影でたくさんの写真を撮りながらそれらが有効に生かされていなかった。また、本来記録しなくてもよい情報まで記録していたために効率的な画像圧縮ができず、記録メディアが有効に活用できないという課題があった。
【００１１】
本発明は、上記課題を解決するためになされたもので、記録メディアを有効に活用できるとともに、シャッターチャンスの撮影画像を確実に記録することのできる撮像装置を提供することを目的とする。
【課題を解決するための手段】
【００１２】
上述したような課題を解決するために、本発明の撮像装置は、連続して撮影した複数枚の画像を記録メディアに記録する撮像装置であって、複数枚の画像を一時的に記憶するバッファメモリと、バッファメモリに記憶された複数枚の画像の中の１枚を基準画像として選択し、基準画像を先頭に、基準画像より後に撮影された画像は撮影された順番に読み出し、基準画像より前に撮影された画像は撮影された順番とは逆に読み出す画像読み出し手段と、読み出し手段によって読み出された記録対象画像を複数のブロックに分割するブロック分割手段と、記録メディアに記録するブロックを選択する記録ブロック選択手段と、画像を記憶するフレームメモリと、記録対象画像の記録されないブロックをフレームメモリの出力で置換して、その結果をフレームメモリに記憶するブロック置換手段と、ブロック分割手段の出力とフレームメモリの出力の差分値をブロック毎に検出する差分検出手段と、差分値と予め設定された所定の閾値とを比較する比較手段とを有し、記録ブロック選択手段が比較手段の比較結果に基づいて記録するブロックを選択することを特徴とする。これにより、動きのあるブロックのみを記録できるので、記録メディアを有効に活用できるとともに、シャッターチャンスの撮影画像を確実に記録することができる。
【００１３】
また本発明の撮像装置は、連続して撮影した複数枚の画像を記録メディアに記録する撮像装置であって、複数枚の画像を一時的に記憶するバッファメモリと、バッファメモリに記憶された複数枚の画像の中の１枚を基準画像として選択し、基準画像を先頭に、基準画像より後に撮影された画像は撮影された順番に読み出し、基準画像より前に撮影された画像は撮影された順番とは逆に読み出す画像読み出し手段と、読み出し手段によって読み出された記録対象画像を複数のブロックに分割するブロック分割手段と、記録メディアに記録するブロックを選択する記録ブロック選択手段と、ブロック分割手段の出力を記憶するフレームメモリと、ブロック分割手段の出力とフレームメモリの出力の差分値をブロック毎に検出する差分検出手段と、差分値と予め設定された所定の閾値とを比較する比較手段とを有し、記録ブロック選択手段が比較手段の比較結果に基づいて記録するブロックを選択することを特徴とする。これにより、簡単な回路構成で動きのあるブロックのみを記録できる。したがって、記録メディアを有効に活用できるとともに、シャッターチャンスの撮影画像を確実に記録することができる。
【００１４】
また本発明の撮像装置は、第１の撮影操作で所定の時間間隔での撮影を開始し、第２の撮影操作で所定の時間間隔で所定の枚数を撮影して撮影を終了する第１および第２の撮影操作手段をさらに備え、基準画像は、第２の撮影操作後に最初に撮影された画像にしてもよい。これにより、シャッターチャンスの画像のすべてのブロックが記録できるので、高画質が確保できる。
【００１５】
また本発明の撮像装置は、閾値を画像の中の少なくとも１つのブロックとそれ以外のブロックで変えるようにしてもよい。これにより、ブロックに含まれる画像内容によって閾値が変えられるので効率よく記録データ量を削減できる。
【００１６】
また本発明の撮像装置は、閾値を画像の周辺部に位置するブロックよりも中央部に位置するブロックで小さくしてもよい。これにより、画像の重要な部分の変化を確実に記録できるとともに記録データ量を効率よく削減できる。
【００１７】
また本発明の撮像装置は、閾値を画像の指定した位置のブロックとそれ以外のブロックで変えるようにしてもよい。これにより、撮影者が指定した重要な部分の変化を確実に記録できるとともに、記録データ量を効率よく削減できる。
【００１８】
また本発明の撮像装置は、ブロックの大きさを画像のブロックの位置によって変えてもよい。これにより、ブロックに含まれる画像内容によってより細かく記録ブロックの制御ができるので効率よく記録データ量の削減ができる。
【００１９】
また本発明の撮像装置は、ブロックの大きさを画像の周辺部に位置するブロックよりも中央部に位置するブロックで小さくしてもよい。これにより、画像の重要な部分でより細かく記録ブロックの制御ができるので効率よく記録データ量の削減ができる。
【００２０】
また本発明の撮像装置は、ブロックの大きさを画像の指定した位置のブロックとそれ以外のブロックで変えてもよい。これにより、撮影者が指定した重要な部分でより細かく記録ブロックの制御ができるので効率よく記録データ量の削減ができる。
【００２１】
また本発明の撮像装置は、移動体を検出する移動体検出手段をさらに設け、移動体検出手段の検出結果に基づいてブロックの大きさを変えてもよい。これにより、移動体を撮影した場合も効率よく記録データの削減ができる。
【００２２】
また本発明の撮像装置は、記録メディアの残量を監視する手段をさらに設け、残量に基づいて閾値を変えてもよい。これにより、せっかく撮影した画像を消去せずに済む。
【発明の効果】
【００２３】
本発明の撮像装置によれば、記録メディアを有効に活用できるとともに、シャッターチャンスの撮影画像を確実に記録できる撮像装置を提供することができる。
【発明を実施するための最良の形態】
【００２４】
以下、本発明の実施の形態について図面を参照しながら説明する。
【００２５】
（実施の形態１）
図１は、本発明の実施の形態１における連続撮影機能付きデジタルカメラ１００の概観図である。デジタルカメラ１００は、レンズ鏡筒１０１、ビューファインダ１０２、レリーズ釦１０３、通常撮影／連続撮影切り換え釦１０４、記録メディア挿入口１０５、記録メディア取り出し釦１０６を備えている。通常は、ビューファインダ１０２で被写体の構図を確認後に、レリーズ釦１０３を１回押す毎に１枚の画像が撮影され、記録メディア挿入口１０５から装着されたフラッシュメモリ等の記録メディア（図示せず）へ撮影画像が記録される。撮影後は、記録メディア取り出し釦１０６を押して、記録メディアをカメラ本体の外へ取り出し、パソコン等に画像を取り込んで再生したり、編集や加工をして楽しむことができる。
【００２６】
次に、このデジタルカメラで連続撮影をする方法について説明する。まず通常撮影／連続撮影切り換え釦１０４を押して連続撮影モードに切り換える。次に、連続撮影をする被写体をビューファインダ１０２で確認し、レリーズ釦１０３を全ストロークの約半分まで軽く押し込む。この時点で連続撮影がスタートし、ちょうどシャッターチャンスのタイミングでレリーズ釦１０３をほぼ全ストローク近くまで深く押し込む。このタイミングでシャッターチャンスの撮影画像が取り込まれ、その後、予め設定された枚数の撮影が継続した後、撮影を終了する。これらの連続撮影された複数の画像は、デジタルカメラ内部のバッファメモリに一旦格納された後、所定の処理が施されて記録メディアへ保存される。なお、連続撮影の時間間隔やレリーズ釦全押し後の撮影枚数等は、別途、カメラ本体の裏側に備えられたＬＣＤ表示部（図示せず）等に表示したメニューで設定可能となっている。
【００２７】
図２は、本実施の形態のデジタルカメラの回路構成の一例を示すブロック図である。デジタルカメラは、レンズ群から構成される撮像光学系２０１、ＣＣＤ等の撮像素子と各種信号処理回路から構成される撮像部２０２、ＲＡＭ等からなるバッファメモリ２０３、外部の記録メディア２０７へ撮影画像を記録するための信号処理を行う記録処理部２０５、ＬＣＤ等からなる画像表示部２０４、バッファメモリ２０３から画像を読み出して画像表示部２０４へ表示させるための信号処理を行う再生処理部２０８、カメラ全体を制御するためのマイクロコンピュータ等の制御部２０６から構成されている。なお、記録メディアはフラッシュメモリ等の不揮発性メモリで構成されている。
【００２８】
次に、撮影および読み出しの動作について説明する。図２において、実線は撮影時の信号の流れを示しており、点線は画像読み出し時の信号の流れを示している。まず撮影時は、撮影がスタートすると、撮像光学系２０１を介して撮影された被写体像は、撮像部２０２の撮像素子においてアナログ画像信号に変換されて、ガンマ処理等が施された後、デジタル画像信号に変換される。このデジタル画像信号に対して、ノイズ除去、輪郭補正等の必要な信号処理が施されて、一旦バッファメモリ２０３に格納される。そして、一連の撮影が終了すると、バッファメモリ２０３から撮影画像が１枚ずつ順次読み出されて記録処理部２０５へ出力される。なお、撮影中もバッファメモリ２０３を介して撮影画像を画像表示部２０４へ表示して確認することができる。記録処理部２０５では、画像データの圧縮や記録フォーマットの変換が行われ、外部の記録メディア２０７へ圧縮画像データが記録される。撮影画像の圧縮方法については、後ほど詳しく説明する。
【００２９】
一方、画像読み出し時には、記録メディア２０７に保存されている一連の圧縮画像データは一旦バッファメモリ２０３へ読み出される。その後、バッファメモリ２０３から圧縮画像が１枚ずつ順次読み出されて再生処理部２０８で元の撮影画像が復元されて画像表示部２０４に表示される。制御部２０６は、上記全回路ブロックを一括管理するとともに、撮像光学系２０１でのズーム、露出、フォーカス等の制御も合わせて行っている。また撮影者がメニューで設定した連続撮影する撮影枚数、撮影時間間隔等の情報を読み込み、その設定情報にしたがって各ブロックに対して必要な制御を行う。
【００３０】
なお、上記説明ではレリーズ釦１０３の半押しと全押しを組み合わせて撮影者が意識的にシャッターチャンスを制御する例を示したが、これに限られるものではなく、撮影者がレリーズ釦１０３を半押ししている間に、予め設定された撮影時間間隔で連続撮影をする通常の連写撮影モードや、セルフタイマー機能を用いて連続撮影を実施してもよい。また、連続撮影枚数や撮影時間間隔が予めカメラ本体にて設定されており、撮影者には変更できないような構成であってもよい。
【００３１】
次に、図３、図４を参照して、連続撮影についてさらに詳しく説明する。図３は、連続撮影動作時のレリーズ釦１０３と露光の関係を示した図である。図３において、時刻ｔ０で、レリーズ釦１０３を半押し状態にすると１回目の露光が時刻ｔ１で始まる。以降、半押し状態が続く間、予め設定された時間間隔に基づいて時刻ｔ２、ｔ３で露光が繰り返され周期的に撮影される。次に、時刻ｔ４でレリーズ釦１０３が全押しされると、直後の時刻ｔ５で露光され撮影者がもっとも撮りたいタイミングで被写体が撮影される。その後も予め設定された枚数、時間間隔の画像が撮影されて撮影が終了する。本実施の形態では、レリーズ釦１０３全押し後の撮影枚数は３枚と設定されており、時刻ｔ６、ｔ７、ｔ８で継続して撮影される。
【００３２】
図４は、このようにして撮影された画像を時間経過とともに示したものである。レリーズ釦１０３を全押しした直後の時刻ｔ５の撮影画像Ｐ（０）が基準画像であり、それ以前に撮影した時刻ｔ３、ｔ２、ｔ１の３枚の画像、Ｐ（−１）、Ｐ（−２）、Ｐ（−３）を便宜上、前方画像と呼び、シャッターチャンス以後の時刻ｔ６、ｔ７、ｔ８の３枚の画像、Ｐ（１）、Ｐ（２）、Ｐ（３）を後方画像と呼ぶ。上記説明では、前方画像、後方画像ともに３枚としたが、前方画像の撮影枚数はレリーズ釦１０３を半押ししている時間と予め設定した撮影時間間隔で決まるものであり、後方画像の撮影枚数は設定値によって決まるものである。また、通常の連写撮影モードのように撮影者がシャッターチャンスを意識していないような場合は、基準画像として最初の撮影画像を選択してもよいし、中間時点の撮影画像、あるいは最後の撮影画像を選択してもよい。
【００３３】
次に、図２の記録処理部２０５の構成および動作について図５〜図９を参照して詳細に説明する。前述したように、記録処理部２０５は撮影画像を記録メディア２０７へ記録するための画像の圧縮処理を行っている。本発明の画像圧縮の方法は、各撮影画像を複数のブロックに分割し、分割されたブロック毎に動きを検出し、動きのあるブロックのみを記録メディア２０７へ保存することにより記録データ量を圧縮するものである。前述したスナップ写真のように、静止した背景の前に人物がいるような被写体を短い時間間隔で連続撮影する場合は、撮影画像間でほとんど動きがないために大幅な圧縮効果で期待できる。この動きの検出は、撮像画像と復元画像の対応するブロック間の差分値が所定の閾値より大きいか否かで判断する。この復元画像については、後で詳しく説明する。
【００３４】
図５は、ｉ番目の撮影画像Ｐ（ｉ）（ｉ＝−３〜３）のブロック分割の一例を示す図である。１枚の撮影画像Ｐ（ｉ）は３行×３列の９個のブロックに分割され、それぞれのブロックは水平方向にＭ画素、垂直方向にＬ画素で囲まれたＭ×Ｌ個の画素で構成されている。この、ブロック分割は、これに限るものではなく、被写体の状況や圧縮率等によって最適なブロック分割にすればよい。
【００３５】
図６は、図２の記録処理部２０５の回路構成の一例を示したブロック図である。図６において、ブロック化回路３０１は、バッファメモリ２０３から読み出された撮影画像Ｐ（ｉ）を制御回路３０７から供給された撮影画像の同期信号に基づいて、図５に示すような９つのブロックＢ（ｉ，ｊ）（ｊ＝１〜９）に分割する回路である。フレームメモリ３０２はブロックＢＲ（ｉ，ｊ）を１フレーム分遅延するためのメモリである。差分検出回路３０３は、撮影画像Ｐ（ｉ）のブロックＢ（ｉ，ｊ）とフレームメモリ３０２の出力である復元画像ＰＲ（ｉ−１）のブロックＢＲ（ｉ−１，ｊ）との差分値Ｓ（ｉ，ｊ）を検出する回路である。ここで、復元画像ＰＲ（ｉ）とは、撮影画像Ｐ（ｉ）のうち記録メディアへ記録する記録ブロックと、記録しないブロックを復元画像ＰＲ（ｉ−１）で置換した置換ブロックとから構成された画像である。すなわち、置換ブロックは過去に記録メディアへ記録された対応するブロックの中で、もっとも最近に記録されたブロックとなる。また、この差分値Ｓ（ｉ，ｊ）は対象ブロックに含まれるすべての画素間でその信号値の差分を計算し、この総和をブロックに含まれる全画素数Ｍ×Ｌで割って正規化した値とする。これは、ブロックの大きさによって、各画素の差分値の重みを変えないためである。ブロックサイズが常に固定の場合は、この正規化処理は必ずしも必要ない。
【００３６】
次に、比較回路３０５は差分値Ｓ（ｉ，ｊ）と閾値設定回路３０６で設定された閾値ＳＴ（ｊ）との大小を比較する回路であり、この比較結果に基づいて記録ブロックが決定される。ここで、閾値ＳＴ（ｊ）は、全ブロック同一の値でもよいし、ブロック毎に異なる値を用いてもよい。ブロック置換回路３０４には、ブロックＢ（ｉ，ｊ）およびブロックＢＲ（ｉ−１，ｊ）が入力されており、差分値Ｓ（ｉ，ｊ）が閾値ＳＴ（ｊ）より大きい場合は、ブロックＢ（ｉ，ｊ）が記録ブロックと判断されて、そのままＯｕｔ１とＯｕｔ２へ出力される。逆に差分値Ｓ（ｉ，ｊ）が閾値ＳＴ（ｊ）より小さい場合は、ブロックＢＲ（ｉ−１，ｊ）と置換されてＯｕｔ２のみへ出力される。そして、ブロック置換回路３０４のＯｕｔ１から出力された記録ブロックのみが記録メディアへ記録される。制御回路３０７には、図２の制御部２０６より読み出し画像に同期したタイミング信号が入力されており、ブロック化の制御や閾値の設定を行っている。
【００３７】
図７は、撮影画像Ｐ（ｉ）（ｉ＝０〜３）から復元画像ＰＲ（ｉ）（ｉ＝０〜３）が生成される過程を示した図である。図７において、斜線を施したブロックは記録ブロックである。また、復元画像の記録ブロック以外は、置換ブロックである。図７を参照して、記録処理部２０５の動作をより詳細に説明する。
【００３８】
まず基準画像Ｐ（０）が記録処理部２０５へ入力される。このとき、フレームメモリ３０２にはリセットがかけられておりフレームメモリ３０２から読み出される画素値はすべて“０”となる。この場合は、ブロック置換回路３０４は、基準画像Ｐ（０）の全ブロックＢ（０，ｊ）（ｊ＝１〜９）を記録ブロックとしてＯｕｔ１へ出力するとともに、復元ブロックＢＲ（０，ｊ）としてＯｕｔ２へ出力してフレームメモリ３０２へ記録する。次に、撮影画像Ｐ（１）が入力されると、差分検出回路３０３では、ブロックＢ（１，ｊ）とブロックＢＲ（０，ｊ）すなわちブロックＢ（０，ｊ）とが比較される。例えば、ブロックＢ（１，２）、Ｂ（１，４）、Ｂ（１，９）の３ブロックの差分値が閾値よりも大きいとすると、これら３ブロックのみが記録ブロックとなり、それ以外のブロックは、置換ブロックとなって１フレーム前の復元ブロックＢＲ（０，ｊ）と置換されて、復元画像ＰＲ（１）となる。次に、撮影画像Ｐ（２）が入力されると、ブロックＢ（２，ｊ）が、復元ブロックＢＲ（１，ｊ）と比較される。１番目のブロックＢ（２，１）は、ブロックＢＲ（１，１）＝Ｂ（０，１）であるために、ブロックＢ（０，１）と比較される。一方２番目のブロックＢ（２，２）は、ブロックＢＲ（１，２）＝Ｂ（１，２）であるためにブロックＢ（１，２）と比較される。このようにして撮影画像Ｐ（２）のすべてのブロックが復元画像ＰＲ（１）のすべてのブロックと比較される。例えば、ブロックＢ（２，５）およびブロックＢ（２，９）が記録ブロックと判定される。撮影画像Ｐ（３）も同様にしてブロックＢ（３，３）、Ｂ（３，４）およびブロックＢ（３，８）が記録ブロックと判定されて記録メディアへ記録される。
【００３９】
図８は、記録メディア２０７へ記録されるデータの構造を示した図である。記録データは画像データと管理情報に分かれて記録されており、各撮影画像Ｐ（ｉ）毎に、記録ブロックの画像データとともに、すべての記録ブロックの画像番号ｉおよびブロック番号ｊのアドレス情報が管理情報として記録される。このアドレス情報は、撮影画像の中で部分的に記録された記録ブロックから１枚の完全な復元画像を再構成する際に使用される。
【００４０】
図９は、図２の再生処理部２０８の回路構成の一例を示すブロック図である。再生処理部２０８は逆ブロック化回路４０１、フレームメモリ４０２、ブロック補間回路４０４、制御回路４０７から構成されている。バッファメモリ２０３から読み出された記録ブロックＢ（ｉ，ｋ）は、ブロック補間回路４０４で復元ブロックＢＲ（ｉ−１，ｌ）（ｌ≠ｋ）で補間されて復元ブロックＢＲ（ｉ，ｊ）を再生する。この復元ブロックＢＲ（ｉ，ｊ）は、フレームメモリ４０２へ記録されて１フレーム遅延されるとともに、逆ブロック化回路４０１で９個のブロックが集められ、元の１枚の画像に復元されて表示部へ出力される。
【００４１】
上記説明では、記録ブロックを記録順に順次読み出して復元画像を順次構成する方法を示したが、これに限らない。例えば、記録時の管理情報に記録ブロックのアドレス情報とともに、置換ブロックのアドレス情報も合わせて記録しておけば、復元画像を再構成する際に、バッファメモリ２０３から直接、記録ブロックと置換ブロックを読み出すことができ、１回の読み出し操作で簡単に画像を復元できる。この場合は、フレームメモリ４０２は不要となる。
【００４２】
上記ブロックのサイズおよび記録判定のための閾値は、固定である必要はなく、撮影者が自由に設定できるようにしてもよい。ブロックサイズと閾値を小さくすればするほど記録画質は良くなるが、圧縮率は下がって記録メディアの有効活用はできなくなる。そこで、ブロックサイズと閾値で決まる複数の画質モードを用意しておき、撮影者が好きなモードを選択するようにしてもよい。
【００４３】
また、この記録判定のための閾値を記録メディアの残容量によって決めてもよい。例えば、残容量を常に監視しておき、残容量が少なくなると自動的に閾値を大きくして記録ブロック数を減らすようにしてもよい。また撮影者が手動でこの切り換えを行ってもよい。このようにすると、せっかく撮影した画像を消去せずに済む。
【００４４】
（実施の形態２）
実施の形態１では、撮影画像Ｐ（ｉ）のブロックＢ（ｉ，ｊ）と１フレーム前の復元画像ＰＲ（ｉ−１）のブロックＢＲ（ｉ−１，ｊ）との差分を検出し、ブロックの記録判定を行った。これは、復元される画像の誤差をできるだけ小さくするためであるが、より簡易的には、復元画像の代わりに、隣接する撮影画像を使ってもよい。この場合は、Ｂ（ｉ，ｊ）とＢ（ｉ−１，ｊ）との間の差分を検出することになる。動きが少ない被写体や、連続撮影枚数がそれほど多くない場合は、このようにしてもほとんど問題なく画像が復元できる。
【００４５】
この場合の、記録処理部２０５の回路構成の一例を図１０に示す。フレームメモリ３０２への入力がＢＲ（ｉ，ｊ）からＢ（ｉ，ｊ）に変わるだけで他は変更がなく図６と同様であるので、同じ構成については同じ符号を付して説明は省略する。撮影画像Ｐ（ｉ）が入力されると、ブロック化された後、差分検出回路３０３でブロックＢ（ｉ，ｊ）とフレームメモリ３０２で１フレーム遅延された撮影画像ブロックＢ（ｉ−１，ｊ）との差分が検出され、この差分結果に基づいて記録するブロックが決定されて、記録メディアへ記録される。再生処理部２０８は、実施の形態１と同じ構成、動作となるので説明は省略する。
【００４６】
（実施の形態３）
実施の形態１では、ブロック置換の差分値の閾値が全ブロックで同一の例を説明したが、実施の形態３はこの閾値を画面のブロックの位置によって変えるものである。一般にスナップ写真等では、画面の中央部に撮影したい人物等の重要な被写体を配置し、周辺部は背景等であまり重要でない場合が多い。したがって、対象ブロックを記録するか否かを全ブロック同一の条件で判定するよりも、画面の中央部と周辺部で判定基準を変えた方が効率がよい。すなわち、画面中央を周辺部よりも厳しい条件で判定する。このためには、差分値の閾値を中央部で周辺部よりも小さくすればよい。図１１（ａ）は、撮影画像が８ビット（２５６レベル）で量子化されているとして、画面の中央部のブロックの閾値を８とし、周辺部のブロックの閾値を１６にした例を示す。また、撮影状況によっては、人物等を画面の中央に配置せず、わざと端の方へ配置する場合もある。この場合は、例えばＬＣＤ表示部にポインタ等を表示させ、このポインタで重要場所を指定させてもよい。この場合は、ポインタを含むブロックまたはその周辺のブロックも含めてブロック置換判定の閾値として小さい値を採用してもよい。図１１（ｂ）は、人物が左端に配置された場合を示しており、人物の顔を含むブロックの閾値を８として、残りのブロックの閾値を１６とした例を示す。この閾値および閾値を変えるブロックは、これらの例に限定されるものではなく、撮影者が自由に設定できることは言うまでもない。
【００４７】
（実施の形態４）
実施の形態１では、ブロックサイズが全ブロックで同一の例を説明したが、実施の形態４は、このブロックサイズを画面のブロックの位置によって変えるものである。図１１は実施の形態４のブロック分割の様子を示した図である。図１２（ａ）は、中央部のブロックサイズを周辺部のブロックサイズの１／４にした例を示す。図１２（ｂ）は、左中央部でサイズを小さくした例を示す。ブロックサイズを小さくするとブロック置換の制御を細かくすることができるので圧縮の効率を上げることができる。例えば、静止した背景の前の人物の顔の表情の変化は、ブロックサイズが大きいと静止部分に比べて、動きの割合が相対的に小さくなり、本来、記録すべき部分が記録されないという問題が発生する。本実施の形態のように、人物の顔を細かなブロックで分割しておけば、表情のわずかな変化も見逃さずに記録されることになる。
【００４８】
（実施の形態５）
実施の形態４では、ブロックサイズを画面の位置によって変更する例について説明したが、実施の形態５では、このブロックサイズを画像の内容によって変更するものである。例えば、静止した背景の前を移動する車等を撮影する場合を考える。図１３（ａ）に示すように、移動体に対して、ブロックサイズが大きすぎるとすべてのブロックが移動体の影響を受けて記録ブロックとなってしまい圧縮効率が悪い。一方、図１３（ｂ）に示すように、ブロックサイズを１／４にすると、移動体が含まれるブロック数は４ブロックのみとなり、全ブロック数の２５％となり大幅に圧縮効率が改善される。この移動体モードは、撮影者が設定してもよいし、動きベクトル検出等で撮影された画像から圧縮前に検出して圧縮モードを切り換えてもよい。
【００４９】
以上説明したように、本発明によれば連続撮影画像をブロックに分割し、ブロック毎に復元画像のブロックとの間の差分を検出し、その差分値が所定レベル以上となるブロックのみを記録することにより、シャッターチャンスの撮影画像を確実に記録できるとともに、記録メディアの容量を有効に活用できる。
【００５０】
なお、上記各実施の形態で説明したブロック分割の方法および記録判定の閾値の数値は一例でありこれに限定されるものではない。
【００５１】
また、上記説明では、レリーズ釦１０３を全押しした直後の画像を基準画像として、その前後の複数枚の画像を記録する例を示したが、これに限定されるものではない。一旦、バッファメモリに一時記録した画像を確認して、基準画像を自由に選択してもよい。このようにすれば、たまたまシャッターチャンスの画像に手ブレ等が発生していても他の好みの画像を原画で記録できる。
【００５２】
また、上記説明では、ブロックサイズと記録判定の閾値を独立に変更する例を示したが、これらを組み合わせて細かく制御すればさらに効果がある。
【産業上の利用可能性】
【００５３】
本発明は、例えば、連続して複数枚の写真を撮影できる機能を有するデジタルカメラ等の撮像装置に利用することが可能である。
【図面の簡単な説明】
【００５４】
【図１】本発明の実施の形態１における連続撮影機能付きデジタルカメラの概観図
【図２】本発明の実施の形態１におけるデジタルカメラの回路構成の一例を示すブロック図
【図３】本発明の実施の形態１における連続撮影動作時のレリーズ釦と露光の関係を示した図
【図４】本発明の実施の形態１における連続撮影された画像を時間経過とともに示した図
【図５】本発明の実施の形態１におけるｉ番目の撮影画像Ｐ（ｉ）（ｉ＝−３〜３）のブロック分割の一例を示す図
【図６】本発明の実施の形態１における図２の記録処理部の回路構成の一例を示したブロック図
【図７】本発明の実施の形態１における撮影画像Ｐ（ｉ）（ｉ＝０〜３）から復元画像ＰＲ（ｉ）（ｉ＝０〜３）が生成される過程を示した図
【図８】本発明の実施の形態１における記録メディアへ記録されるデータの構造を示した図
【図９】本発明の実施の形態１における図２の再生処理部の回路構成の一例を示すブロック図
【図１０】本発明の実施の形態２における記録処理部の回路構成の一例を示す図
【図１１】本発明の実施の形態３における閾値の設定を説明する図であり、（ａ）は画面の中央部と周辺部でブロックの閾値を変えた例を示す図、（ｂ）は人物の顔を含むブロックと他のブロックで閾値を変えた例を示す図
【図１２】本発明の実施の形態４におけるブロック分割を説明する図であり、（ａ）は中央部のブロックサイズを周辺部のブロックサイズの１／４にした例を示す図、（ｂ）は左中央部でブロックのサイズを小さくした例を示す図
【図１３】本発明の実施の形態５におけるブロック分割を説明する図であり、（ａ）は移動体に対して、ブロックサイズが大きすぎる例を示す図、（ｂ）は移動体に対して、ブロックサイズを小さくした例を示す図
【符号の説明】
【００５５】
１００    デジタルカメラ
１０１    レンズ鏡筒
１０２    ビューファインダ
１０３    レリーズ釦
１０４    通常撮影／連続撮影切り換え釦
１０５    記録メディア挿入口
１０６    記録メディア取り出し釦
２０１    撮像光学系
２０２    撮像部
２０３    バッファメモリ
２０４    画像表示部
２０５    記録処理部
２０６    制御部
２０７    記録メディア
２０８    再生処理部
３０１    ブロック化回路
３０２    フレームメモリ
３０３    差分検出回路
３０４    ブロック置換回路
３０５    比較回路
３０６    閾値設定回路
３０７    制御回路
４０１    逆ブロック化回路
４０２    フレームメモリ
４０４    ブロック補間回路
４０７    制御回路
【図１】
2008153828.tif 000003
【図２】
2008153828.tif 000004
【図３】
2008153828.tif 000005
【図４】
2008153828.tif 000006
【図５】
2008153828.tif 000007
【図６】
2008153828.tif 000008
【図７】
2008153828.tif 000009
【図８】
2008153828.tif 000010
【図９】
2008153828.tif 000011
【図１０】
2008153828.tif 000012
【図１１】
2008153828.tif 000013
【図１２】
2008153828.tif 000014
【図１３】
2008153828.tif 000015